(57)【要約】【課題】蓋中央部のボタンを押すことにより、本体上端の開口部を閉塞又は開放できるように構成され、使いやすく密閉機能を確実に維持でき内容物を長期間保存できる食品等保管容器を提供することを課題とする。【解決手段】上端開口部を有する本体１０と、本体１０の開口部を開閉する蓋２０とから成り、蓋２０中央部の収容部２１内において垂直方向に動作し、その内側中央部にクリップ３３を備えたボタン３０と、収容部２１内の一組のレバー４１ａ、４１ｂを含み、このレバーの回動操作に伴って上下方向に移動する受台４２及びボタン３０の押下操作時にクリップ３３を掛止してロックし、あるいは、ロックから解放する操作部材４３を具備する作動ユニット４０と、外周縁部にパッキンが嵌め付けられていて、受台４２と共に移動するように設置されることによって、本体１０上端の開口部を閉塞し又は開放するように作用するパッキンユニット５０とを具備する。【選択図】図１
2009091043.tif 000002
【特許請求の範囲】
【請求項１】
上端開口部を有する本体と、この本体の開口部を開閉する蓋とから成る食品等保管容器であって、
前記蓋の中央部に形成された収容部内において垂直方向に動作し、その内側中央部にクリップが装着されているボタンと、
前記蓋の収容部の内底面上に配置される一組のレバーを含み、また、このレバーの回動操作に伴って上下方向に移動する受台及び前記ボタンの押下操作時に前記クリップを掛止してロックし、あるいは、ロックから解放する操作部材を具備する作動ユニットと、
外周縁部に形成された差込みスペースにパッキンが嵌め付けられていて、前記受台と共に移動するように設置されることによって、前記本体上端の開口部を閉塞し又は開放するように作用するパッキンユニットとを具備することを特徴とする食品等保管容器。
【請求項２】
前記作動ユニットは、支持台及び操作部材を前記蓋の収容部の内底面上に突き出るように受台上に立設し、前記支持台において一組のレバーを交叉する状態にて軸支させ、前記受台と前記収容部の内底面との間にスプリングを介在させて成る、請求項１に記載の食品等保管容器。
【請求項３】
前記受台の外周面にオネジを形成し、前記オネジを前記パッキンユニットに形成した有底円筒部の内周面のメネジに螺合可能にした、請求項１又は２に記載の食品等保管容器。
【請求項４】
前記受台の中央部に、操作部材の底面を成すベースが組み付けられ、前記操作部材の胴体部の両側壁に第１及び第２の掛止部位がそれぞれ形成され、また、前記第２の掛止部位に、前記クリップの移動を案内するガイド溝及びガイド突部が形成される、請求項３に記載の食品等保管容器。
【発明の詳細な説明】
【技術分野】
【０００１】
本発明は、食料品、化学品、薬品等を収納して保管するための食品等保管容器に関するものであり、更に詳しく説明すると、蓋の中央部のボタン及び作動ユニットを含むパッキンを具備したパッキンユニットにより、ボタンのワンタッチ操作で本体上端の開口部を閉塞、又は開放することができるように構成された食品等保管容器に関するものである。
【背景技術】
【０００２】
近時、インスタント食品の増加と大手スーパーチェーン店の登場による食品の多量購入が増え、それに伴い、長期的に冷蔵保管するための密閉容器の需要も大幅に増大してきている。それらのうちの多くは、本体に蓋を被せて内容物を密封保管する構造で、蓋にパッキンを装着して本体上端の枠に挟み合わせる方式、又は蓋の密封及び締結力を確保するため、蓋にバネを具備した単純な構造の密閉容器が主に使用されている。
【０００３】
しかし、これら大半の密閉容器は、透明又は半透明の合成樹脂を射出法によって、本体と蓋を分離構成して製造されるが、通常、パッキンを固定した蓋を利用する場合には、密封力が弱いという問題があり、蓋に装備したバネを利用する場合には、密封力は多少優れてはいるが、開閉する動作が面倒であるだけでなく、多くの突起物が存在することになるために見栄えが悪く、洗浄しにくいという問題もある。
【０００４】
また、上記のような構造の密閉容器は、蓋を開く際にパッキンが簡単に外れてしまうため、パッキンを再度嵌め付けなければならない煩わしさがある。それだけでなく、長期間使用するうちに容器本体と蓋の接続部分が劣化し、気密性が失われて中身が漏れ、空気流出による食品損傷をもたらす事が頻繁に発生している。
【０００５】
一方、最近になり、密閉容器を構成する蓋に別途の空気排出手段を設置し、空気ポンプなどを利用して容器本体内部の空気を強制的に抜き出し、真空状態を維持することによって、食品を長期間保存することができるように構成した、多様な形態の密閉容器に対する出願が活発に行われている。
【０００６】
このような構造の技術に関連して空気排出手段を設置した例としては、韓国公開特許公報第１９９９−００７８５８２号、韓国公開特許公報第２００２−００８６３９７号、韓国公開特許公報第２００６−０００７９５７号等がある。これらの例の場合、押しボタンを何回か押していけば、容器内部に残った空気を排出させることができるが、真空状態を解除しなければ、蓋を開けることができないという問題がある。
【０００７】
また、ポンピング器具を利用して容器内部を真空化する構造を開示するものとしては、韓国公開特許公報第２００５−００７９７６３号や韓国公開特許公報第２００７−００２５３５４号等があるが、この構成の場合は、蓋に別途の器具物を装着した状態で容器内部に残存する空気を除去しなければならないため、使用者にとって非常に不便であり、実質的に大衆化できていないのが現状である。
【０００８】
【特許文献１】韓国公開特許公報第１９９９−００７８５８２号
【特許文献２】韓国公開特許公報第２００２−００８６３９７号
【特許文献３】韓国公開特許公報第２００６−０００７９５７号
【特許文献４】韓国公開特許公報第２００５−００７９７６３号
【特許文献５】韓国公開特許公報第２００７−００２５３５４号
【発明の開示】
【発明が解決しようとする課題】
【０００９】
本発明は、上述したような問題点に鑑みてなされたもので、本発明は、容器を構成する蓋の中央部分に設置されるボタンを押すことにより、蓋の下側に配置されるパッキンユニットが上下に移動しながら、本体上端の開口部を閉塞又は開放できるように構成され、使いやすくて密閉機能を確実に維持でき、内容物を長期間保存できる食品等保管容器を提供することを課題とする。
【００１０】
本発明の他の課題は、本体上端の開口部の蓋が、別途の構造物なしに着脱可能であって、上記ボタンを蓋のつまみとして利用可能に構成することで、別途の突出物を具備させる必要がなくて見栄えがよく、しかも、容器が洗浄しやすい食品等保管容器を提供することにある。
【課題を解決するための手段】
【００１１】
上記のような課題を達成するために本発明は、上端開口部を有する本体と、この本体の開口部を開閉する蓋とから成る食品等保管容器であって、前記蓋の中央部に形成された収容部内において垂直方向に動作し、その内側中央部にクリップが装着されているボタンと、前記蓋の収容部の内底面上に配置される一組のレバーを含み、また、このレバーの回動操作に伴って上下方向に移動する受台及び前記ボタンの押下操作時に前記クリップを掛止してロックし、あるいは、ロックから解放する操作部材を具備する作動ユニットと、外周縁部に形成された差込みスペースにパッキンが嵌め付けられていて、前記受台と共に移動するように設置されることによって、前記本体上端の開口部を閉塞し又は開放するように作用するパッキンユニットとを具備することを特徴とする食品等保管容器である。
【００１２】
好ましくは、前記作動ユニットは、支持台及び操作部材を前記蓋の収容部の内底面上に突き出るように受台上に立設し、前記支持台において一組のレバーを交叉する状態にて軸支させ、前記受台と前記収容部の内底面との間にスプリングを介在させて成る。
【００１３】
また好ましくは、前記受台の外周面にオネジを形成し、前記オネジを前記パッキンユニットに形成した有底円筒部の内周面のメネジに螺合可能にした。
【００１４】
更に好ましくは、前記受台の中央部に、操作部材の底面を成すベースが組み付けられ、前記操作部材の胴体部の両側壁に第１及び第２の掛止部位がそれぞれ形成され、また、前記第２の掛止部位に、前記クリップの移動を案内するガイド溝及びガイド突部が形成される。
【発明の効果】
【００１５】
本発明は上記のとおりであって、蓋の中央部にボタン及び作動ユニットを含むパッキンを具備するパッキンユニットを設置し、ボタンのワンタッチ操作で本体上端の開口部を閉塞又は開放するように構成されるため、非常に簡単に使用できることはもちろん、密閉機能を確実に維持することができて、内容物を長期間保存することができる。
【００１６】
また、本体上端の開口部の蓋を、別途の構造物を要することなく着脱可能になし得ると共に、ボタンを蓋のつまみにも活用できるように構成できるので、別途の突出物がなくて見栄えがよく、容器の洗浄も容易となる効果がある。
【発明を実施するための最良の形態】
【００１７】
本発明を実施するための最良の形態を添付図面に依拠して説明する。図１又は図８ａ、図８ｂは、本発明の好適な構成を説明するための図面であり、本発明に係る容器は、図１に示されるような、通常の食品等保管容器を構成するための本体１０と、この本体１０に対する蓋２０とから成る。蓋２０は、その中央部に設置されて垂直方向に動作するボタン３０と作動ユニット４０を具備しており、更に、本体１０上端の開口部を閉塞又は開放可能に構成されたパッキンユニット５０を含んで構成される。
【００１８】
本体１０は透明又は半透明の合成樹脂やガラス、陶磁器、ステンレス、その他任意の材質で制作でき、その上端の周回部は、上方に拡開するように傾斜面１１とされる。蓋２０の中央部には収容部２１が形成され、収容部２１には、その上側にボタン３０を保持する作動ユニット４０が装備される。蓋２０の裏面には、貫通穴２４を有する中底２２が組み付けられて一体化される。
【００１９】
図２ａ及び図２ｂに示すように、ボタン３０の外周面部には、一定の間隔置きに切除部３１が形成され、切除部３１間に残存する外周面の下端に、引掛用段差３２が形成される。一方、蓋２０の収容部２１の内壁には、段差３２に対応する掛止部２３が形成され、段差３２が掛止部２３に引掛かって掛止されることで、ボタン３０がそこに保持される。ボタン３０の内側の中央部には、クリップ３３が垂直方向に回動可能に装着される。かくしてボタン３０は、蓋２０の収容部２１内において跳ね上がるように垂直方向へ動作することになる。
【００２０】
クリップ３３は、ボタン３０の内天面に固定キャップ３４Ａを介して組み付けるか（図２ａ）、あるいは、ボタン３０の上面からクリップ３３を組み込んだ後に、固定キャップ３４Ｂを嵌合して設置できる（図２ｂ）。なお、ボタン３０の外周壁に、図示していないガイド用切り込みを形成し、一方、これに対応する収容部２１の内壁に、ガイド用切り込みに係合する突起を形成して互いに組み付けるようにすることで、ボタン３０の押下動作がより正確に行われるようにすることができる。
【００２１】
また、図３に示されているように、蓋２０内に設置される作動ユニット４０は、収容部２１の内底面上に位置する一対のレバー４１ａ、４１ｂと、このレバー４１ａ、４１ｂの操作に伴って上下方向へ跳ね上がるように移動する受台４２と、ボタン３０の押下操作時に、クリップ３３を掛止固定し、また、解放する操作部材４３を具備して成る。
【００２２】
即ち、作動ユニット４０は、蓋２０の収容部２１内において突出するように受台４２の中央部に操作部材４３が立設され、その両側に支持台４４ａ、４４ｂが配備され、支持台４４ａ、４４ｂ上によってレバー４１ａ、４１ｂが交叉状態に支持されることによって構成される。これらレバー４１ａ、４１ｂ下端の支持台４４ａ、４４ｂによって軸支される固定軸には、それぞれ突出部位４５ａ、４５ｂが形成され、突出部位４５ａ、４５ｂはそれぞれ、ボタン３０の非押下時において、収容部２１の内底面上に密着状態となるようにされる（図６、図８ａ参照）。
【００２３】
また、受台４２と収容部２１の内底面の間にはスプリング４６が配装され、レバー４１ａ、４１ｂの回動時にスプリング４６が圧縮されることでボタン３０に弾発力が与えられることになる。受台４２の外周面には、オネジ４２ｂ及び一対の引掛突片４７ａ、４７ｂが形成される（図３参照）。
【００２４】
図４ａ及び図４ｂに示されるように、操作部材４３は受台４２の中央部に形成された挿入口４２ａに保持されるベース４３ａを有し、この操作部材４３の胴体の両側壁には、第１及び第２の掛止部位４８ａ、４８ｂがそれぞれ形成される。第２掛止部位４８ｂには、クリップ３３の移動を案内するガイド溝４９ａとガイド突部４９ｂとが形成されている。
【００２５】
パッキンユニット５０は、図５に示されるように、本体５１の中央に有底円筒部５２を形成し、その内周面にメネジ５２ａを切り、また、その上部にストッパー５３ａ、５３ｂを形成して成る。受台４２は、そのオネジ４２ｂをパッキンユニット５０のメネジ５２ｂにネジ付けると共に、引掛突片４７ａ、４７ｂがストッパー５３ａ、５３ｂに支持されて、その位置を維持できるようになっている。
【００２６】
また、パッキンユニット５０の本体５１周縁に差込みスペース５４が形成され、そこにパッキン５５の内周縁部を嵌め付けられるようになっている。この差込みスペース５４の各コーナー部には、弾性を持つ差込み部位５４ａが形成され、これをパッキン５５に形成される差込み口５５ａに係入させることにより、パッキン５５のずれ動きを防止することが可能となる。
【００２７】
パッキンユニット５０に装着されるパッキン５５は、所定角度の傾斜状態を維持しつつ、本体１０の上端部の傾斜面１１に密着して本体１０を閉塞し、傾斜面１１から離れることで本体１０を開放できるように構成される。
【００２８】
上述したように構成された本発明に係る容器は、各図に示されるように、蓋２０に、ボタン３０、作動ユニット４０及びパッキンユニット５０のすべてが組み付けられて成り、蓋２０から突出するボタン３０を一回押すごとに、作動ユニット４０を介し、本体１０内に位置するパッキンユニット５０が上下方向に移動して、パッキン５５による閉鎖及び開放動作を行なう。
【００２９】
即ち、図８ａに示す状態においてボタン３０を押すと、蓋２０の収納部２１内において突出する一対のレバー４１ａ、４１ｂが押下されて、固定軸を軸に互いに反対方向に下向きに回動することになる。この回動動作に伴い、レバー４１ａ、４１ｂの軸部に形成された突出部位４５ａ、４５ｂが回動し、その端部が収容部２１の内底面を押下することになるため、受台４２がスプリング４６を圧縮し、支持台４４ａ、４４ｂ及び操作部材４３が、収容部２１の内底面から上方に飛び出てくることになる。
【００３０】
また、ボタン３０の内側の中央部に装着されているクリップ３３は、その下端部が操作部材４３の胴体に形成されたガイド溝４９ａ内を下向きに移動する途中、両方の側面に形成される第１及び第２の掛止部位４８ａ、４８ｂ内に掛止されてロックされることにより、図８ｂに示す、ボタン３０の押下状態を維持することになる。
【００３１】
この時、受台４２に固定されたパッキンユニット５０のパッキン５５が、図７ａ及び図７ｂに示されるように、本体１０内上端の傾斜面１１に密着状態となって、本体１０内部を閉塞するよう作用する。
【００３２】
一方、本体１０内部の閉塞状態を開放するためにもう一度ボタン３０を押すと、クリップ３３が操作部材４３の第１及び第２の掛止部位４８ａ、４８ｂに沿って下方向に移動するが、ガイド突部４９ｂによりガイド溝４９ａの方に押し出され、その際、収容部２１の内底面と受台４２の間に圧縮されていたスプリング４６の復元力により、クリップ３３の両端部分がガイド溝４９ａに沿って上方へ移動していくことになる。
【００３３】
従って、ボタン３０の押下状態が解放されて受台４２に形成された支持台４４ａ、４４ｂ及び操作部材４３が収納部２１の内底面から引込むように下向き移動すると同時に、押し込められていたレバー４１ａ、４１ｂが上記と逆方向に回動し、以てボタン３０が、図８ａに示すように蓋２０の上面から突出した状態に戻ると共に受台４２が下向き移動することにより、パッキンユニット５０のパッキン５５による密閉状態が解除される。
【００３４】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【図面の簡単な説明】
【００３５】
【図１】本発明に係る食品等保管容器の全体構成を表した分解斜視図である。
【図２ａ】本発明に係る食品等保管容器のボタンの構成を示す縦断面図である。
【図２ｂ】本発明に係る食品等保管容器のボタンの構成を示す縦断面図である。
【図３】本発明に係る食品等保管容器の作動ユニットの構成を示す分解斜視図である。
【図４ａ】本発明に係る食品等保管容器の操作部材の構成及びその作用を説明するための図面である。
【図４ｂ】本発明に係る食品等保管容器の操作部材の構成及びその作用を説明するための図面である。
【図５】本発明に係る食品等保管容器のパッキンユニットを示す分解斜視図である。
【図６】本発明に係る食品等保管容器の全体組み立て状態の縦断面図である。
【図７ａ】本発明に係る食品等保管容器の使用状態を説明するための概略構成図である。
【図７ｂ】本発明に係る食品等保管容器の使用状態を説明するための概略構成図である。
【図８ａ】本発明に係る食品等保管容器のボタン及び作動ユニットの動作状態を説明するための縦断面図である。
【図８ｂ】本発明に係る食品等保管容器のボタン及び作動ユニットの動作状態を説明するための縦断面図である。
【符号の説明】
【００３６】
１０    本体
１１    傾斜面
２０    蓋
２１    収容部
２２    中底
２３    掛止部
２４    貫通穴
３０    ボタン
３１    切除部
３２    引掛用段差
３３    クリップ
３４Ａ  固定キャップ
３４Ｂ  固定キャップ
４０    作動ユニット
４１ａ  レバー
４１ｂ  レバー
４２    受台
４２ａ  挿入口
４２ｂ  オネジ
４３    操作部材
４３ａ  ベース
４４ａ  支持台
４４ｂ  支持台
４５ａ  突出部位
４５ｂ  突出部位
４６    スプリング
４７ａ  突片
４７ｂ  突片
４８ａ  掛止部位
４８ｂ  掛止部位
４９ａ  ガイド溝
４９ｂ  ガイド突部
５０    パッキンユニット
５１    本体
５２    有底円筒部
５２ａ  メネジ
５３ａ  ストッパー
５３ｂ  ストッパー
５４    差込みスペース
５４ａ  差込み部位
５５    パッキン
５５ａ  差込み口
【図１】
2009091043.tif 000003
【図２ａ】
2009091043.tif 000004
【図２ｂ】
2009091043.tif 000005
【図３】
2009091043.tif 000006
【図４ａ】
2009091043.tif 000007
【図４ｂ】
2009091043.tif 000008
【図５】
2009091043.tif 000009
【図６】
2009091043.tif 000010
【図７ａ】
2009091043.tif 000011
【図７ｂ】
2009091043.tif 000012
【図８ａ】
2009091043.tif 000013
【図８ｂ】
2009091043.tif 000014